(57)【特許請求の範囲】
【請求項１】
四方の壁により形成された開口を有する有底のボックス本体と、該ボックス本体の開口に対し該開口を閉じた状態及び開いた状態にヒンジを中心に回転自在に支持されてなると共に前記した開いた状態で一方が前記ボックス本体内に収納されるリッド部材と、前記ボックス本体に収納された収脱自在な収納部とより構成されてなる小物入れにおいて、
前記リッド部材の一方には、前記ボックス本体の壁に沿って薄板部材を掻き出し可能になした案内部が形成されてなり、
前記リッド部材の一方に対向した壁面には、第１案内面及び第２案内面が形成されてなり、
前記第１案内面は、前記薄板部材を前記リッド部材側に倒れ込ませるよう傾斜して形成されてなり、
前記第２案内面は、前記ヒンジの回転中心位置を中心とする円弧状に形成されてなる第２壁と、該第２壁の軌跡より小さな曲率で凹部状に形成されて前記薄板部材を前記収納部と前記ボックス本体との間に案内し得る案内部とよりなることを特徴とする小物入れ。
【請求項２】
請求項１記載の小物入れであって、
前記第１案内面は、ヒンジの回転中心位置を中心とする円弧状に形成されてなる第１壁と、該第１壁より迫り出して前記薄板部材を前記リッド部材の上面側に倒れ込ませるよう傾斜した庇部とよりなることを特徴とする小物入れ。
【発明の詳細な説明】
【０００１】
【産業上の利用分野】
本発明は、自動車などの乗り物のコンソールボックスなどの小物入れ構造に関する。
【０００２】
【従来の技術】
従来のコンソールボックスなどの小物入れ構造としては、例えば日産自動車株式会社が発行した「レパードＪフェリーの新型解説書」によれば、リッド回転式の小物入れを備えている。
【０００３】
【発明が解決しようとする課題】
然しながら、かかるコンソールボックスの小物入れの場合は、リッド上にカード，コインなどの薄板部材を載置したまま、リッドを開けると、カード，コインなどの薄板部材は脱落し、取り出しが困難になり、改善が望まれている。
【０００４】
そこで、本発明は、以上のような点に鑑みてなされたもので、その目的とするところは、リッド上にカード，コインなどの薄板部材を載置したまま、リッドを開けても、リッドを閉じれば掻き出して来る小物入れを提供することにある。
【０００５】
【課題を解決するための手段】
上記、課題を解決するために、請求項１の発明は、四方の壁により形成された開口を有する有底のボックス本体と、該ボックス本体の開口に対し該開口を閉じた状態及び開いた状態にヒンジを中心に回転自在に支持されてなると共に前記した開いた状態で一方が前記ボックス本体内に収納されるリッド部材と、前記ボックス本体に収納された収脱自在な収納部とより構成されてなる小物入れにおいて、
前記リッド部材の一方には、前記ボックス本体の壁に沿って薄板部材を掻き出し可能になした案内部が形成されてなり、前記リッド部材の一方に対向した壁面には、第１案内面及び第２案内面が形成されてなり、前記第１案内面は、前記薄板部材を前記リッド部材側に倒れ込ませるよう傾斜して形成されてなり、前記第２案内面は、前記ヒンジの回転中心位置を中心とする円弧状に形成されてなる第２壁と、該第２壁の軌跡より小さな曲率で凹部状に形成されて前記薄板部材を前記収納部と前記ボックス本体との間に案内し得る案内部とよりなることを特徴とする。
【０００７】
請求項２の発明は、請求項１に記載の小物入れであって、前記第１案内面は、ヒンジの回転中心位置を中心とする円弧状に形成されてなる第１壁と、該第１壁より迫り出して前記薄板部材を前記リッド部材の上面側に倒れ込ませるよう傾斜した庇部とよりなることを特徴とする。
【０００８】
【作用】
上記手段の請求項１の発明によれば、前記リッド部材が開いた状態で前記ボックス本体内に収納される前記リッド部材の一方に形成されてなる案内部が、落ち込んだ薄板部材を、前記ボックス本体の壁に沿って掻き出すことが可能になる。また、前記リッド部材が開いた状態で前記ボックス本体内に収納される前記リッド部材の一方に対向した壁面に形成されてなる第１案内面の傾斜角が、前記薄板部材を前記リッド部材側に倒れ込ませるようになっているので、前記リッド部材に前記薄板部材を沿わせることができ、より掻き出しが確実になる。更に、前記収納部と前記ボックス本体との間に、前記薄板部材を案内することができ、前記収納部を前記ボックス本体から離脱させることで、前記ボックス本体の底部に残っている前記薄板部材の回収が可能になる。
【０００９】
また、掻き出しできない程前記薄板部材が入り込んだ場合、前記リッド部材が開いた状態で前記ボックス本体に収納される前記リッド部材の一方に対向した壁面に形成されてなる第２案内面によって、前記ボックス本体に収納された収脱自在な収納部の下側、換言すると、前記収納部と前記ボックス本体との間に、前記薄板部材を案内することができ、前記収納部を前記ボックス本体から離脱させることで、前記薄板部材の回収が可能になる。
【００１０】
請求項２の発明によれば、請求項１に記載の発明の作用に加え、前記第１案内面は、ヒンジの回転中心位置を中心とする円弧状に形成されてなる第１壁と、該第１壁より迫り出して前記薄板部材を前記リッド部材の上面側に倒れ込ませるよう傾斜した庇部とよりなるので、前記リッド部材に前記薄板部材を沿わせることができ、より掻き出しが確実になる。
【００１１】
【実施例】
以下、この発明の実施例を図面と共に説明する。
【００１２】
図１乃至図５は、本発明の一実施例に係る自動車などの乗り物のコンソールボックス等に設けられた小物入れを示している。
【００１３】
小物入れ１は、ボックス本体３と、リッド部材５と、収納部７とより構成されてなる。
【００１４】
前記ボックス本体３は、四方の壁、即ち後部の壁１１、前部の壁１３、左右の壁１５，１７及び底部１９により収納部７の収納空間２１が形成され、その上部に開口２３が形成される。該開口２３の縁部２５にはバンパーラバー２７が配設される。
【００１５】
前記リッド部材５は、該ボックス本体３の開口２３に対し図１に二点鎖線で示す該開口２３を閉じた状態及び図１に実線で示す開いた状態夫々に移動自在にヒンジ３１により支持されてなると共に前記した開いた状態で前記リッド部材５の一方３３が前記ボックス本体３内に収納されるようになっている。
【００１６】
前記リッド部材５が閉じた状態では、該リッド部材５の裏面が前記バンパーラバー２７に弾接していて、ハートカム状のロック手段２８によりその位置が保持される。
【００１７】
該リッド部材５の一方３３には、前記ボックス本体３の後部の壁１１に沿ってカード９ａ・コイン９ｂ等の薄板部材９を掻き出し可能になした案内部３５が形成されている。
【００１８】
該案内部３５は、前記リッド部材５の一方３３の上面３７より、図２及び図３に示すように、前記ボックス本体３の後部の壁１１に近接するまで上方に突出されていて、該ボックス本体３の後部の壁１１に沿ってカード９ａ・コイン９ｂなどの薄板部材９を掻き出し可能になした形状である。
【００１９】
前記収納部７は、前記ボックス本体３の収納空間２１に収脱自在に収納されている。
【００２０】
前記リッド部材５の一方３３に対向した壁面、即ち後部の壁１１には、第１案内面３９及び第２案内面４７が形成されている。
【００２１】
該第１案内面３９は、前記ヒンジ３１の回転中心位置４１を中心とする円弧状に形成されてなる第１壁４３と、該第１壁４３より迫り出して前記薄板部材９を前記リッド部材５の上面３７側に倒れ込ませるよう傾斜した庇部４５とよりなる。
【００２２】
該第２案内面４７は、前記ヒンジ３１の回転中心位置４１を中心とする円弧状に形成されてなる第２壁４９と、該第２壁４９の軌跡５０より小さな曲率で凹部状に形成されて前記薄板部材９を前記ボックス本体３と前記収納部７との間に案内し得る案内部５１とよりなる。
【００２３】
従って、本実施例によれば、前記リッド部材５が図１で実線で示すように、開いた状態で前記ボックス本体３内に収納される前記リッド部材５の一方３３に形成されてなる案内部３５が、落ち込んだカード９ａ・コイン９ｂなどの薄板部材９を、前記ボックス本体３の後部の壁１１に沿って掻き出すことが可能になる。
【００２４】
また、前記リッド部材５が図１で実線で示すように、開いた状態で前記ボックス本体３内に収納される前記リッド部材５の一方３３に対向した後部の壁１１に形成されてなる第１案内面３９の傾斜角が、前記カード９ａ・コイン９ｂなどの薄板部材９を前記リッド部材５の上面３７側に倒れ込ませるようになっているので、前記リッド部材５に前記カード９ａ・コイン９ｂなどの薄板部材９を沿わせることができ、より掻き出しが確実になる。
【００２５】
掻き出しできない程前記カード９ａ・コイン９ｂなどの薄板部材９が入り込んだ場合、前記リッド部材５が開いた状態で前記ボックス本体３内に収納される前記リッド部材５の一方３３に対向した後部の壁１１に形成されてなる第２案内面４７によって、前記ボックス本体３に収納された収脱自在な収納部７の下側、換言すると、前記収納部７と前記ボックス本体３との間に、前記カード９ａ・コイン９ｂなどの薄板部材９を案内することができ、前記収納部７を前記ボックス本体３から離脱させることで、前記ボックス本体３の底部１９に残っている前記カード９ａ・コイン９ｂなどの薄板部材９の回収が可能になる。
【００２６】
【発明の効果】
以上の説明より明らかなように、請求項１の発明によれば、前記リッド部材の一方には、前記ボックス本体の壁に沿って薄板部材を掻き出し可能になした案内部が形成されてな前記リッド部材の一方には、前記ボックス本体の壁に沿って薄板部材を掻き出し可能になした案内部が形成されてなり、前記リッド部材の一方に対向した壁面には、前記薄板部材を前記リッド部材側に倒れ込ませるよう傾斜した第１案内面が形成されてなることを特徴とするので、前記リッド部材が開いた状態で前記ボックス本体内に収納される前記リッド部材の一方に形成されてなる案内部が、落ち込んだ薄板部材を、前記ボックス本体の壁に沿って掻き出すことが可能になる。また、前記リッド部材が開いた状態で前記ボックス本体内に収納される前記リッド部材の一方に対向した壁面に形成されてなる第１案内面の傾斜角が、前記薄板部材を前記リッド部材側に倒れ込ませるようになっているので、前記リッド部材に前記薄板部材を沿わせることができ、より掻き出しが確実になる。更に、前記収納部と前記ボックス本体との間に、前記薄板部材を案内することができ、前記収納部を前記ボックス本体から離脱させることで、前記ボックス本体の底部に残っている前記薄板部材の回収が可能になる。
【００２７】
また、前記リッド部材の一方に対向した壁面には、前記薄板部材を前記収納部と前記ボックス本体との間に案内する第２案内面が形成されてなることを特徴とするので、請求項１記載の発明の作用に加え、掻き出しできない程前記薄板部材が入り込んだ場合、前記リッド部材が開いた状態で前記ボックス本体に収納される前記リッド部材の一方に対向した壁面に形成されてなる第２案内面によって、前記ボックス本体に収納された収脱自在な収納部の下側、換言すると、前記収納部と前記ボックス本体との間に、前記薄板部材を案内することができ、前記収納部を前記ボックス本体から離脱させることで、前記薄板部材の回収が可能になる。
【００２８】
請求項２の発明によれば、前記第１案内面は、ヒンジの回転中心位置を中心とする円弧状に形成されてなる第１壁と、該第１壁より迫り出して前記薄板部材を前記リッド部材の上面側に倒れ込ませるよう傾斜した庇部とよりなることを特徴とするので、請求項１又は２に記載の発明の作用に加え、前記第１案内面は、ヒンジの回転中心位置を中心とする円弧状に形成されてなる第１壁と、該第１壁より迫り出して前記薄板部材を前記リッド部材の上面側に倒れ込ませるよう傾斜した庇部とよりなるので、前記リッド部材に前記薄板部材を沿わせることができ、より掻き出しが確実になる。
【００２９】
以上により、リッド上にカード，コインなどの薄板部材を載置したまま、リッドを開けても、リッドを閉じれば掻き出して来る小物入れを提供することができる。
【図面の簡単な説明】
【図１】この発明の一実施例にかかる小物入れの薄板部材がリッドに沿った状態を示す断面説明図である。
【図２】図１の薄板部材、中でもカードが壁に沿ってリッドの上面に案内されて沿った状態を示す断面説明図である。
【図３】図１の薄板部材、中でもコインが壁に沿ってリッドの上面に案内されて沿った状態を示す断面説明図である。
【図４】図１の薄板部材が入り込んで、ボックス本体と収納部との間に案内される状態を示す断面説明図である。
【図５】図１の矢視Ａにかかる分解斜視説明図である。
【符号の説明】
１  小物入れ
３  ボックス本体
５  リッド部材
７  収納部
９  薄板部材
９ａ  カード
９ｂ  コイン
１１，１３，１５，１７  ボックス本体の四方の壁
１９  ボックス本体の底部
２１  ボックス本体の収納空間
２３  ボックス本体の開口
３１  リッド部材のヒンジ
３３  リッド部材の一方
３５  案内部
３７  リッド部材の一方の上面
３９  後部の壁の第１案内面
４１  ヒンジの回転中心位置
４３  第１案内面の第１壁
４５  第１案内面の庇部
４７  後部の壁の第２案内面
４９  第２案内面の第２壁
５０  第２壁の軌跡
５１  第２案内面の案内部
【図１】
0003613841.tif 000002
【図２】
0003613841.tif 000003
【図３】
0003613841.tif 000004
【図４】
0003613841.tif 000005
【図５】
0003613841.tif 000006